(57)【要約】  宝石の反射像に現れる模様と共に、宝石の輝度及び疵を観察することができる宝石の観察器具を提供することを課題とする。  カット面を有した透明度のある宝石の観察器具であって、拡大レンズ１２を有する本体部１と、この本体部１に接続される筒体２と、を備え、前記筒体２は、自然光を透過する透明筒体２１と、自然光を遮光する遮光部材２２と、を有し、前記遮光部材２２は、前記透明筒体２１の軸方向に移動自在に構成されていることを特徴とする構成となっている。
2017119072.tif 000002
【特許請求の範囲】
【請求項１】
カット面を有した透明度のある宝石の観察器具であって、
拡大レンズを有する本体部と、
この本体部に接続される筒体と、を備え、
前記筒体は、自然光を透過する透明筒体と、
自然光を遮光する遮光部材と、を有し、
前記遮光部材は、前記透明筒体の軸方向に移動自在に構成されていることを特徴とする、宝石の観察器具。
【請求項２】
前記遮光部材は、前記透明筒体の外周に設けられていることを特徴とする、請求項１に記載の宝石の観察器具。
【請求項３】
前記遮光部材は、筒状に形成されていることを特徴とする、請求項１又は請求項２に記載の宝石の観察器具。
【請求項４】
前記本体部は、内側が有彩色に着色されていることを特徴とする、請求項１〜３の何れかに記載の宝石の観察器具。
【請求項５】
請求項１〜４の何れかに記載の宝石の観察器具を用いた宝石の観察方法であって、
前記拡大レンズの焦点位置に、前記宝石を配置して観察する工程を含むことを特徴とする、宝石の観察方法。
【請求項６】
前記遮光部材を前記透明筒体の軸方向に移動させながら観察する工程をさらに含むことを特徴とする、請求項５に記載の宝石の観察方法。
【発明の詳細な説明】
【技術分野】
【０００１】
本発明は、カットダイヤモンド等のカット面を有した透明度のある宝石の観察器具及び観察方法に関する。
【背景技術】
【０００２】
通常、カットダイヤモンド等のカット面を有した透明度のある宝石の価値は、カラー（色）、クラリティ（明澄度）、カラット（重さ）、カット（研磨）の４要素を評価することでランク付けがなされている（以下、グレーディングという）。中でもカットは、宝石に入射される光の表面反射と内部反射の方向を決定するため、宝石の輝きを決める重要な要素であり、宝石の最終的な美しさと価値に大きく影響を与えている。【０００３】
しかしながら、カットの評価は、上記４要素の中でも最も複雑な評価であって、技術的にとても困難なものであった。従来、宝石に施されたカットの状態は、拡大鏡を用いて視覚判別することが行われている。しかしながら、このような拡大鏡のみによるカットの評価は、高度な技量を持つ熟練者には可能であっても一般消費者には不可能であった。特に、基準が厳しく細かいグレーディングが行われるラウンド・ブリリアント・カットにおいては、高度な技量を持つ熟練者でさえ確かな評価を行うことは困難であった。【０００４】
そこで、誰にでも宝石のプロポーションやカットの対称性を容易に判断することができる宝石の観察器具が種々提案されている。
例えば、特許文献１には、略半球状の本体（１００）の中央部に孔（１０１）を有すると共に前記略半球形状の本体（１００）内に拡大レンズ（１１０）を有し、前記略半球形状の本体（１００）開口部方向に筒体（２００）を連設したことを特徴とする宝石の観察器具が記載されている（図７参照）。【０００５】
このように構成された宝石の観察器具を用いることにより、宝石に入射される光の反射像を容易に得ることができる。そして、上記観察器具を用いて得られた反射像の模様の形状、規則性、対称性を観察することにより、カット精度の良否や宝石の善し悪し等を評価することが行われている。【０００６】
特に、ラウンド・ブリリアント・カットの宝石の反射像は、「ハート・アンド・キューピッド」と呼ばれ、宝石のクラウン側から観察した際には「矢」の模様が観察されることが知られている（図３参照）。
【先行技術文献】
【特許文献】
【０００７】
【特許文献１】特開２００２−１９６２６２号公報
【発明の概要】
【発明が解決しようとする課題】
【０００８】
ところで、カット面を有した透明度のある宝石（以下、宝石という）の価値を評価する場合には、その輝き（輝度）や疵等についても確認する必要がある。
しかしながら、特許文献１に記載の拡大視具は、反射像の模様の形状、規則性、対称性は観察できるものの、宝石の輝度や疵を観察できるものではなかった。【０００９】
本発明は、かかる実情に鑑み、宝石の反射像に現れる模様と共に、宝石の輝度及び疵を観察することができる宝石の観察器具を提供することを課題とする。
【課題を解決するための手段】
【００１０】
上記課題を解決するため、本発明に係る宝石の観察器具は、カット面を有した透明度のある宝石の観察器具であって、拡大レンズを有する本体部と、この本体部に接続される筒体と、を備え、前記筒体は、自然光を透過する透明筒体と、自然光を遮光する遮光部材と、を有し、前記遮光部材は、前記透明筒体の軸方向に移動自在に構成されていることを特徴とする。
ここで言う自然光とは、太陽光や月光などの自然に由来する光に限られず、室内の人工的な光源をも含む。【００１１】
このように、筒体は透明筒体と遮光部材を有し、遮光部材は透明筒体の軸方向に移動自在に構成されていることにより、透明筒体における自然光の入射角度と反射角度を調節することができる。その結果、宝石の反射像に現れる模様と共に、宝石の輝度及び疵を観察することができる。ここで言う疵とは、宝石の表面の疵及び宝石の内部の疵を含む。【００１２】
本発明の好ましい形態によれば、前記遮光部材は、前記透明筒体の外周に設けられていることを特徴とする。
このように遮光部材は、前記透明筒体の外周に設けられていることにより、反射像を観察しながら遮光部材の位置を容易に移動させることができる。【００１３】
本発明の好ましい形態によれば、前記遮光部材は、筒状に形成されていることを特徴とする。
このように、遮光部材を筒状に形成していることにより、透明筒体の外周を摺動する遮光部材を容易に形成することができる。【００１４】
本発明の好ましい形態によれば、前記本体部は、内側が有彩色に着色されていることを特徴とする。
このように、本体部の筒体側の内側表面が有彩色に着色されていることにより、観察される反射像の観察模様を容易に評価することができる。【００１５】
また、本発明に係る宝石の観察方法は、本発明に係る宝石の観察器具を用いた宝石の観察方法であって、前記拡大レンズの焦点位置に、前記宝石を配置して観察する工程を含むことを特徴とする。
このように、本発明に係る宝石の観察器具の拡大レンズの焦点位置に、宝石を配置して観察することにより、宝石の反射像に現れる模様と共に、宝石の輝度及び疵を観察することができる。【００１６】
また、本発明に係る宝石の観察方法は、前記遮光部材を前記透明筒体の軸方向に移動させながら観察する工程をさらに含むことを特徴とする。
このように、遮光部材を透明筒体の軸方向に移動させながら観察することにより、宝石の輝度と疵が確認しやすい遮光部材の位置決めを容易に行うことができる。
【発明の効果】
【００１７】
本発明は、宝石の反射像に現れる模様と共に、宝石の輝度及び疵を観察することができる宝石の観察器具を提供することができる。
【図面の簡単な説明】
【００１８】
【図１】本発明の一実施形態に係る宝石の観察器具の分解斜視図である。
【図２】本発明の一実施形態に係る宝石の観察器具の図１のＸ―Ｘ線縦断面図である。
【図３】理想的な「ラウンド・ブリリアント・カット」のダイヤモンドの観察像であり、図３（ａ）は従来の宝石の観察器具を用いて撮影された観察像を示し、図３（ｂ）は本発明の一実施形態に係る宝石の観察器具を用いて撮影された観察像を示している。
【図４】疵を有する「ラウンド・ブリリアント・カット」のダイヤモンドの観察像であり、図４（ａ）及び図４（ｂ）は従来の宝石の観察器具を用いて撮影された観察像を示し、図４（ｃ）及び図４（ｄ）は本発明の一実施形態に係る観察器具を用いて撮影された観察像を示している。
【図５】本発明の一実施形態に係る宝石の観察器具の筒体を示す斜視図であり、図５（ａ）は遮光部材を透明筒体の他端側から上方に摺動させた状態を示し、図５（ｂ）は遮光部材を透明筒体の他端側に摺動させた状態を示している。
【図６】理想的な「ラウンド・パターンド・ブリリアント・カット」のダイヤモンドの観察像であり、図６（ａ）は従来の宝石の観察器具を用いて撮影された観察像を示し、図６（ｂ）は図５（ａ）の状態の本発明の一実施形態に係る宝石の観察器具を用いて撮影された観察像を示し、図６（ｃ）は図５（ｂ）の状態の本発明の一実施形態に係る宝石の観察器具を用いて撮影された観察像を示している。
【図７】従来の宝石の観察器具を示す縦断面図である。
【発明を実施するための形態】
【００１９】
以下、本発明を図面に示した好ましい一実施形態について詳細に説明する。本発明の技術的範囲は、添付図面に示した実施形態に限定されるものではなく、特許請求の範囲に記載された範囲内において、適宜変更が可能である。
【００２０】
本発明の一実施形態に係る宝石の観察器具は、拡大レンズ１２を有する本体部１と、この本体部１に接続される筒体２と、を備えており、この筒体２の一端側には本体部１が接続され、筒体２の他端側には観察対象Ｄが配置されている（図１及び図２参照）。
【００２１】
観察対象Ｄとしては、カットダイヤモンドを例示することができるが、これに限られず、カット面を有した透明度のある宝石であれば、本発明に係る宝石の観察器具を用いることができる。
また、図２に示したルースケースＲは、観察対象Ｄを収納するケースである。通常宝石の観察を行う際には、このルースケースＲに設置した観察対象Ｄの上から、宝石の観察器具を用いて観察を行う。なお、このルースケースＲは、下部からの自然光を通さないよう構成されていることが望ましい。
【００２２】
本体部１は、ケース本体１１と、このケース本体１１内に設けられる拡大レンズ１２と、を有している。
ケース本体１１は、略半球形状に形成されており、この略半球形状の中央部に観察用孔１１ａが設けられている。また、図示はしていないが、このケース本体１１の内側は有彩色に着色されていることが望ましい。加えて、このケース本体１１は、半透明の部材で形成され、ケース本体１１の外側から内側に光が入射されるよう構成されていることが望ましい。なお、このケース本体１１の形状として略半球形状を例示したが、円柱状や四角柱等の多角柱状を採用しても良い。
【００２３】
観察用孔１１ａは、任意の大きさに形成されており、必要に応じてその大きさを定めればよい。この観察器具の使用者は、この観察用孔１１ａを覗くことにより、筒体２の他端側に配置された観察対象Ｄの反射像を確認することができる。
【００２４】
拡大レンズ１２は、観察対象Ｄを拡大視可能なものであればよく、ケース本体１１の内部に設けられるよう、ケース本体１１の外形に対応した大きさに形成されている（図２参照）。また、この拡大レンズ１２の設置箇所は、ケース本体１１の内部に限られず、ケース本体１１と筒体２の間に設けても良いし、筒体２の一端側に設けても良い。
【００２５】
筒体２は、自然光を透過する材料で形成された透明筒体２１と、自然光を遮光する材料で形成された遮光部材２２と、を有している。
【００２６】
透明筒体２１は、本体部１と接続される一端側開口部２１ａと、観察対象Ｄが配置される他端側開口部２１ｂを有している。この透明筒体２１の直径は、ケース本体１１の外形に対応した大きさに形成されており、透明筒体２１の長さは、拡大レンズ１２の焦点距離に対応した長さを有している。
この透明筒体２１は、接着剤等の接着手段によって本体部１と接続しても良いし、嵌合や螺合等の慣用の手段によって着脱可能に接続されていても良い。
【００２７】
遮光部材２２は、透明筒体２１の外径に対応した内径を有する筒状に形成されている。遮光部材２２の長さは、透明筒体２１の長さよりも短く設定されており、好ましくは透明筒体２１の長さの１／４から２／３の長さの範囲に設定され、さらに好ましくは透明筒体２１の長さの１／２から１／３の長さの範囲に設定されている。この遮光部材２２の材料としては、自然光を遮光する材料であることが望ましいが、光透過率が低い材料で形成しても良い。なお、この遮光部材２２は、必ずしも筒状に形成する必要は無く、ゴム等の弾性材料やテープ等の貼付材を、透明筒体２１の外周に貼り付けるようにして、遮光するように構成しても良い。
【００２８】
また、この遮光部材２２は、透明筒体２１の外周を上下に移動可能に構成されている。すなわち、遮光部材２２を筒状に形成している場合には、透明筒体２１の外径に対応した大きさに形成して、透明筒体２１の軸方向に摺動自在に構成されている（図５（ａ）参照）。また、図示はしていないが、透明筒体２１の外周と、遮光部材２２の内周と、にネジ溝を設けることで螺合させ、遮光部材２２を透明筒体２１の周方向に回すことによって、透明筒体２１の軸方向に移動調節可能なように構成しても良い。
【００２９】
次に、本発明に係る宝石の観察器具を使用した際の観察像について、図３を用いて詳細に説明する。まず、従来から用いられている宝石の観察器具（図７参照）を用いて得られる観察像（図３（ａ））について説明した後、本発明に係る宝石の観察器具を用いて得られる観察像（図３（ｂ））について詳細に説明する。
【００３０】
図３（ａ）は、従来から用いられている宝石の観察器具（図７参照）を用いて、ほぼ理想的な「ラウンド・ブリリアント・カット」が施されたダイヤモンドを、クラウン側から観察した場合に得られる観察像である。この観察像図３（ａ）に示される観察模様は、白色と色調及び明度の異なる何種類かの青色（添付写真では灰色）により構成されており、ダイヤモンドの中心から８方向に放射状に延びる白色の「矢」の模様が明瞭に現れている。このように観察される観察模様のうち、白色（矢）の領域は宝石のクラウン側から観察対象Ｄに入射される光を観察方向へ向けて反射していることを示しており、青色の領域はしていないことを示している。また、この青色の領域は、青色の筒体２００を使用したことに由来する。
【００３１】
一方、図３（ｂ）は、本発明に係る宝石の観察器具を用いて、図３（ａ）で観察したダイヤモンドをクラウン側から観察した場合に見られる観察像である。この時、図２に示すように、遮光部材２２を透明筒体２１他端側から少し上方位置に配置させることにより、透明筒体２１の一端側の壁面と他端側の壁面から自然光が入射される状態で観察している。
この観察像に示される観察模様は、図３（ａ）の白色の領域に対応する「矢」の部分が桃色（添付写真では薄い灰色）に示されており、それ以外の領域はファイヤーと呼ばれる透明の宝石独特の７色の輝きを含む輝き（輝度）を表す白色、灰色及び黒色で構成されている。この観察される模様のうち、桃色（矢）の領域はクラウン側から観察対象Ｄに入射される光を観察方向へ向けて反射することを示しており、それ以外の部分はダイヤモンドを自然光の中で観察した時に見られるダイヤモンド特有の輝き（輝度）を示している。すなわち、観察模様に桃色が現れているのは、ケース本体１１の内側の表面を桃色に着色したことに由来する。また、反射像にダイヤモンド特有の輝き（輝度）が現れているのは、遮光部材２２によって遮光されていない透明筒体２１の一端側及び他端側の壁面から入射する自然光に由来する。
【００３２】
以上のように、本発明に係る宝石の観察器具を用いた場合には、観察像にダイヤモンド特有の輝き（輝度）が現れている。また、観察像の宝石の観察方向に向けて反射する箇所が着色されている。
【００３３】
次に、本発明に係る宝石の観察器具を用いた時に観察される宝石の疵について、図４を用いて詳細に説明する。まず、疵を有する「ラウンド・ブリリアント・カット」のダイヤモンドを、従来から用いられている宝石の観察器具（図７参照）を用いて得られる観察像（図４（ａ）、図４（ｂ））について説明した後、本発明に係る宝石の観察器具を用いて得られる観察像（図４（ｃ）、図４（ｄ））について詳細に説明する。
【００３４】
図４（ａ）及び図４（ｂ）は、従来から用いられている宝石の観察器具（図７参照）を用いて、疵を有する「ラウンド・ブリリアント・カット」のダイヤモンドを、クラウン側から観察した場合に得られる観察像である。図４（ａ）は反射像の全体像であり、図４（ｂ）は疵のある箇所の拡大図である。しかしながら、図４（ａ）及び図４（ｂ）を確認しても、宝石の疵の有無を判別することは極めて難しい。
【００３５】
一方、図４（ｃ）及び図４（ｄ）は、本発明に係る宝石の観察器具を用いて、図４（ａ）及び図４（ｂ）で用いたダイヤモンドを同一方向から観察した場合に得られる観察像である。図４（ｃ）は反射像の全体像であり、図４（ｄ）は疵のある箇所の拡大図である。図４（ｄ）に示されているように、疵が明確に表れていることが分かる。
【００３６】
以上のように、本発明に係る宝石の観察器具を用いた場合には、従来から用いられている宝石の観察器具では観察できなかった宝石の疵を明確に判別できる。
【００３７】
次に、本発明の使用方法について、図５及び図６を用いて詳細に説明する。図５は遮光部材２２が透明筒体２１の軸方向に摺動する様子を示す図である。図５（ａ）は、遮光部材２２を透明筒体２１の他端から少し上方に摺動させることにより、透明筒体２１の他端側の壁面から自然光が入射する状態を示している。一方、図５（ｂ）は、遮光部材２２を透明筒体２１の他端側に摺動させることにより、透明筒体２１の他端側の壁面から自然光が入射しない状態を示している。
【００３８】
図６は、「ラウンド・パターンド・ブリリアント・カット（Round Patterned Brilliant Cut）」が施されたダイヤモンドを、クラウン側から観察した場合に得られる観察像である。まず、従来から用いられている宝石の観察器具を用いて得られる観察像（図６（ａ））について説明した後、本発明に係る宝石の観察器具を用いて得られる観察像（図６（ｂ）、図６（ｃ））について詳細に説明する。
【００３９】
図６（ａ）は、従来から用いられている宝石の観察器具（図７参照）を用いた場合の観察像を示している。この観察像に示される反射像の模様は、白色と色調及び明度の異なる何種類かの青色（添付写真では灰色）により構成されており、ダイヤモンドの中心から５方向に放射状に延びる白色の「花模様」が明瞭に現れている。この観察模様のうち、白色の領域は、クラウン側から観察対象Ｄに入射される光を観察方向へ向けて反射していることを示しており、青色の領域はしていないことを示している。
【００４０】
図６（ｂ）は、透明筒体２１の一端側及び他端側の壁面から自然光が入射する状態の本実施形態に係る宝石の観察器具（図５（ａ）参照）を用いて、図６（ａ）で観察したダイヤモンドをクラウン側から観察した場合に見られる観察像である。図６（ｂ）の観察像に示される反射像の模様は、図６（ａ）の白色の領域に対応する「花模様」の領域が桃色（添付写真では灰色）に示されており、それ以外の部分はダイヤモンドの輝き（輝度）を表す白色、灰色及び黒色で構成されている。この観察模様のうち、桃色の領域は、クラウン側から観察対象Ｄに入射される光を観察方向へ向けて反射することを示しており、それ以外の領域はダイヤモンドを自然光の中で観察した時に見られるダイヤモンド特有の輝き（輝度）を示している。
【００４１】
一方、図６（ｃ）は、透明筒体２１の他端側の壁面から自然光が入射しない状態の本実施形態に係る宝石の観察器具（図５（ｂ）参照）を用いて、図６（ａ）で観察したダイヤモンドをクラウン側から観察した場合に見られる観察像である。図６（ｃ）の観察像に示される反射像の模様は、図６（ａ）の白色部分に対応する「花模様」の領域が桃色（添付写真では灰色）に示されている点で図６（ｂ）の観察像と一致している。しかしながら、それ以外の領域は淡色に表れており、ダイヤモンド特有の輝き（輝度）は減少し、「花模様」がより明瞭に表れている。
【００４２】
本発明によれば、透明筒体２１の外周に遮光部材２２を設け、透明筒体２１の一端側及び他端側の壁面から自然光を入射させることにより、反射像の模様と同時に観察対象Ｄである宝石の輝き及び疵を観察することができる。すなわち、透明筒体２１の一端側及び他端側に自然光が入射する領域を形成し、透明筒体２１の中央部に自然光を遮断する領域を形成することにより、宝石の反射像特有の模様と同時に、ダイヤモンド特有の輝き（輝度）を観察することができる。また、このダイヤモンド特有の輝き（輝度）を観察することにより、宝石に存在する疵の有無を確認することができる。
【００４３】
また、本発明によれば、透明筒体２１の外周に遮光部材２２を軸方向に移動可能に設けることにより、透明筒体２１の一端側及び他端側に入射する自然光の量を調節することができる。すなわち、遮光部材２２を摺動させることにより、周囲環境の光量（部屋の明るさ等）によって、透明筒体２１の一端側及び他端側から取り入れる自然光の量を調節して、容易に観察対象Ｄの輝度と疵が確認しやすい光量に調節することができる。
【００４４】
また、本発明によれば、遮光部材２２を透明筒体２１の他端側に摺動させ、透明筒体２１の他端側の壁面から自然光が入射しない状態とすることにより、従来の宝石の観察器具と同じように、模様部分を明瞭に観察することができる。すなわち、反射像の模様を明瞭に評価したい場合には、遮光部材２２で透明筒体２１の他端側を覆うことにより、反射像の模様を明瞭に観察することができる。
【００４５】
また、本発明によれば、ケース本体１１の内側の表面が、有彩色に着色されていることにより、観察される反射像の模様を容易に観察することができる。ダイヤモンドの「ラウンド・ブリリアント・カット」に現れる「矢」や、「ラウンド・パターンド・ブリリアント・カット」に現れる「花模様」等は、本体部１側（観察方向）から入射される光線の観察方向への反射を示している。そのため、観察方向と同方向のケース本体１１の内側表面を着色することにより、反射像の模様部位を着色することができる。その結果、反射像に現れる模様の形状を容易、鮮明かつ美しく判別または観察することができる。
【符号の説明】
【００４６】
１      本体部
１１    ケース本体
１１ａ  観察用孔
１２    拡大レンズ
２      筒体
２１    透明筒体
２２    遮光部材
Ｄ      観察対象
Ｒ      ルースケース
【図１】
2017119072.tif 000003
【図２】
2017119072.tif 000004
【図３】
2017119072.tif 000005
【図４】
2017119072.tif 000006
【図５】
2017119072.tif 000007
【図６】
2017119072.tif 000008
【図７】
2017119072.tif 000009
【国際調査報告】
2017119072.tif 000010
2017119072.tif 000011
2017119072.tif 000012
2017119072.tif 000013